(57)【要約】 【課題】  組立式コネクタであっても確実な防水性能を付与する。【解決手段】  絶縁ハウジング２と、電線８６に接続され絶縁ハウジング２に収容されるコンタクト８０と、コンタクト８０が収容された絶縁ハウジング２に取り付けられてコンタクト８０を覆うカバー部材４とを備え、絶縁ハウジング２が相手方のコネクタ３００と嵌合するよう構成された電気コネクタ１において、カバー部材４と電線８６との間には、電線８６およびカバー部材４に密着する第１の弾性シール部材９が配置され、絶縁ハウジング２には、絶縁ハウジング２とカバー部材４との間をシールするとともに、相手方のコネクタ３００と嵌合したときに相手方のコネクタ３００と絶縁ハウジング２との間をシールする第２の弾性シール部材５０が配置される。【選択図】          図４
2006196427.tif 000002
【特許請求の範囲】
【請求項１】
絶縁ハウジングと、電線に接続され前記絶縁ハウジングに収容されるコンタクトと、前記絶縁ハウジングに取り付けられて前記コンタクトを覆うカバー部材とを備え、前記絶縁ハウジングが相手方のコネクタと嵌合するよう構成された電気コネクタにおいて、
前記カバー部材と前記電線との間には、該電線および前記カバー部材に密着する第１の弾性シール部材が配置され、前記絶縁ハウジングには、該絶縁ハウジングと前記カバー部材との間をシールするとともに、前記相手方のコネクタと嵌合したときに該相手方のコネクタと前記絶縁ハウジングとの間をシールする第２の弾性シール部材が配置されてなることを特徴とする電気コネクタ。
【請求項２】
前記第１の弾性シール部材は、２色成形により前記カバー部材と一体に成形されていることを特徴とする請求項１記載の電気コネクタ。
【請求項３】
前記第２の弾性シール部材は、２色成形により前記絶縁ハウジングと一体に成形されていることを特徴とする請求項１または２記載の電気コネクタ。
【請求項４】
前記コンタクトは、前記相手方のコネクタのコンタクトと接触する接触部が前記絶縁ハウジング内に配置され、前記電線との接続部が前記カバー部材に沿って配置されるＬ字状コンタクトであることを特徴とする請求項１から３いずれか１項記載の電気コネクタ。
【発明の詳細な説明】
【技術分野】
【０００１】
本発明は電気コネクタに関し、特に防水型の電気コネクタに関するものである。
【背景技術】
【０００２】
従来、用途に応じた種々の防水型の電気コネクタが知られているが、防水機能をさほど必要としない場合は、防水性を考慮しないのが普通である。例えば、自動車のダッシュボード内、或いはステアリングコラム周辺に配置される電気コネクタは、雨水などを考慮しなくてよいので、防水機能が付与されていない場合が多い。しかし、このような場所に配置された電気コネクタであっても、周囲温度の変化によりコネクタの外面に結露が生じて、コネクタの内部に水滴が侵入することがある。
【０００３】
このような場所に配置されるコネクタとして、例えばエアバッグ用のコネクタ即ちエアバッグを膨張させるための爆薬を点火する電気配線に使用されるコネクタがある。エアバッグ用コネクタにこのような結露が生じると、水滴により配線が短絡した状態になって、エアバッグの作動が必要とされる場合でも、正常に機能しないことが起こりうる。そのため、コネクタに結露が生じても、コネクタ内に水滴が侵入しないように、コネクタの配置場所および配置したときのコネクタの姿勢が注意深く設定されるが、必然的にコネクタの配置には制約を受ける。
【０００４】
このようなことから、エアバッグ用のコネクタを防水構造としたものが知られている（特許文献１）。この従来技術のコネクタは、オーバーモールド工法によってコネクタを成形して電線とのシール(封止)を行うとともに、相手方のコネクタとの嵌合部に弾性シール部材を配置することによって、コネクタ同士の間の防水性を得ている。
【０００５】
また、この種のエアバッグ用コネクタは、配置されるスペースの制約上、相手方のコネクタと嵌合する嵌合方向と電線導出方向が直交した関係に構成されることが多い。このため、コンタクト形状は、相手方のコネクタの端子と接触する接触部と、電線に接続される電線接続部が直交したＬ字状に形成されている。これにより、コネクタが低背となり、電線を過度に折り曲げて電線に負荷がかかることを防止している。このようなエアバッグ用コネクタの一例として、導線把持部とこれに直交する電気系統接続部を有するＬ字状コンタクトを備えた電気信管点火装置用コネクタが知られている（特許文献２）。この導線把持部には点火導線が接続され、電気系統接続部はコネクタ胴部に収容されるように構成されている。
【特許文献１】特開２００４−１９３０７９号公報（図５）
【特許文献２】特開２０００−２９４３４３号公報（図１、図２、図３）
【発明の開示】
【発明が解決しようとする課題】
【０００６】
前述の特許文献１の従来技術にあっては、オーバーモールド工法によりコンタクト、および電線上に合成樹脂が一体に成形されてコネクタが構成される。このコネクタの外表面は、継目がなく水滴を遮断しうるが、電線にオーバーモールドされた部分は、僅かな隙間が生じて毛細管現象によりコネクタ内部に水滴が侵入するおそれがある。
【０００７】
また、特許文献２に記載された従来技術にあっても、コネクタの全体の形状から見て特許文献１と同様にオーバーモールド工法と考えられ、特許文献１の場合と同様な問題がある。
【０００８】
また、一般的に組立式のコネクタにあっては、コンタクトの形状等設計の自由度は大きいものの、コネクタを構成する各部品の継目や電線との間の防水を行うことが困難である。また、コネクタのハウジングと電線との間を防水栓でシールするタイプのものにあっては、狭いスペースに収めるために、または電線の取り回しの関係で、電線をコネクタの導出方向と直角に曲げる場合、防水栓に荷重が加わって防水栓が変形し、防水機能が低下するおそれがある。
【０００９】
本発明は、上記事情に鑑みてなされたものであり、組立式コネクタであっても確実な防水性能を付与する低背型の電気コネクタを提供することを目的とする。
【課題を解決するための手段】
【００１０】
本発明の電気コネクタは、絶縁ハウジングと、電線に接続され絶縁ハウジングに収容されるコンタクトと、絶縁ハウジングに取り付けられてコンタクトを覆うカバー部材とを備え、絶縁ハウジングが相手方のコネクタと嵌合するよう構成された電気コネクタにおいて、カバー部材と電線との間には、電線およびカバー部材に密着する第１の弾性シール部材が配置され、絶縁ハウジングには、絶縁ハウジングとカバー部材との間をシールするとともに、相手方のコネクタと嵌合したときに相手方のコネクタと絶縁ハウジングとの間をシールする第２の弾性シール部材が配置されていることを特徴とするものである。
【００１１】
本発明の一実施態様として、第１の弾性シール部材は、２色成形によりカバー部材と一体に成形されていてもよい。また、第２の弾性シール部材は、同様に２色成形により絶縁ハウジングと一体に成形されていてもよい。
【００１２】
また、Ｌ字状コンタクトを接続した電線を予め第１の弾性シール部材に挿通し、カバー部材にはこの第１の弾性シール部材と密嵌する開口が形成され、前記電線を前記カバーの内側から開口に挿通して、コンタクトをカバー部材内に配置するとともに、第１の弾性シール部材が開口に密着して隙間を生じないように嵌合するよう構成してもよい。
【００１３】
また、コンタクトは、相手方のコネクタのコンタクトと接触する接触部が絶縁ハウジング内に配置され、電線との接続部がカバー部材に沿って配置されるＬ字状コンタクトとすることができる。
【発明の効果】
【００１４】
本発明の電気コネクタによれば、絶縁ハウジングに取り付けられてコンタクトを覆うカバー部材と電線との間に第１の弾性シール部材が配置され、絶縁ハウジングには、絶縁ハウジングとカバー部材との間をシールするとともに相手方のコネクタと絶縁ハウジングとの間をシールする第２の弾性シール部材が配置されているので、組立式であっても防水性能の高い電気コネクタを得ることができる。
【００１５】
また、第１の弾性シール部材が２色成形によりカバー部材と一体に成形されている場合は、カバー部材側の部品点数を低減でき、コネクタの組立ても容易になる。
【００１６】
また、第２の弾性シール部材が、２色成形により絶縁ハウジングと一体に成形されている場合は、ハウジング側の部品点数を低減でき、コネクタの組立ても容易になる。
【００１７】
また、コンタクトが、接触部が絶縁ハウジング内に配置され、電線との接続部がカバー部材に沿って配置されるＬ字状コンタクトである場合は、Ｌ字状であっても容易に防水構造のコネクタに組み込むことができる。また、電線を接触部に対し横方向に導出するので、電線やシール部材に必要以上に荷重を加えることなく、コネクタを低背にすることができる。
【発明を実施するための最良の形態】
【００１８】
以下、本発明の電気コネクタ(以下、単にコネクタという)の好ましい実施の形態について添付図面を参照して詳細に説明する。なお、説明にあたり、上、下等の表現は、説明の便宜上関連する図における上下等をいう。図１は、本発明の第１の実施形態のコネクタを示し、図１（ａ）は一側即ちカバー部材側から見た斜視図であり、図１（ｂ）は他側即ちハウジング側から見た斜視図である。図１に示すように、コネクタ１は、コンタクト８０（図２）を収容した、略円柱状の絶縁ハウジング(以下、単にハウジングという)２と、ハウジング２と別体の平板状のカバー部材４とを有する。
【００１９】
ハウジング２は、合成樹脂から成形され、凹所８が形成された嵌合面６を有している。凹所８の底面８ａには、後述する相手方のコネクタ３００（図４）のピンコンタクト３０２（図４）が挿入される小孔１１が１対形成されている。また、カバー部材４には、例えばシリコーン等の弾性ゴム部材（第１の弾性シール部材）９が２色成形により一体に成形されている。この弾性ゴム部材９の部分には、電線８６を挿通する為の電線挿通孔９４が形成されている。ハウジング２とカバー部材４との間には、他の弾性ゴム部材(第２の弾性シール部材)５０が配置されている。次に、このコネクタ１の構成について、図２を参照してさらに詳細に説明する。
【００２０】
図２は、図１のコネクタ１の分解斜視図である。コネクタ１は、ハウジング２、フェライト４０、コンタクト８０、カバー部材４および弾性ゴム部材５０から構成されている。ハウジング２は、中央部に上方即ちカバー部材４側に開放するコンタクト収容穴１０を有する。また、カバー部材４側には、ハウジング２の外周に沿うフランジ１２が形成されるとともに、フランジ１２の一部がブロック状にハウジング２の側方に突出して凸部１４が形成されている。凸部１４の上面にはさらに側方に突出する舌片１４ａがハウジング２の上面１６と面一になるように形成されている。
【００２１】
フランジ１２にはハウジング２の上面１６から、ハウジング２の中心を通って上下方向に延びる中心軸線(以下、単に軸線という)２４と直交する方向に１対の切欠１８、２０が形成されている。切欠１８は２つの切欠１８ａ、１８ｂから構成され、切欠２０も２つの切欠２０ａ、２０ｂから構成されている。切欠１８と切欠２０は互いに平行に整列しており、これらの切欠１８、２０には後述するコンタクト８０が各々配置される。
【００２２】
前述のコンタクト収容穴１０には、上面１６側に自由端部を有する１対のラッチアーム２２が互いに対向してコンタクト収容穴１０に臨んで形成されている。ラッチアーム２２は、ラッチアーム２２の背後で、上面１６から内方に形成された弧状空間２６に連通する各々２本のスリットにより形成され、軸線２４に沿う長さを有する。ラッチアーム２２は、その自由端部の内側にテーパ２８を有し、さらにそのテーパ２８の下に図示しない段部を有する。ハウジング２の軸線２４方向の中央部には縮径部３０が形成され、その下部は縮径部３０より大径の嵌合部３２となっている。嵌合部３２の側面には、上方即ちカバー部材４側に拡開するように傾斜して延びる１対の係止舌片３４が互いに反対側になるように形成されている。
【００２３】
前述のコンタクト収容穴１０には、フェライト４０およびコンタクト８０が配置される。フェライト４０は、外部から電気配線に侵入したノイズを吸収してノイズを低減するための、貫通孔４２を有する楕円形の筒状の部材である。フェライト４０がコンタクト収容穴１０内に挿入されると、前述のラッチアーム２２を外側に撓めて、フェライト４０の上端４２ａがラッチアーム２２の段部を通過すると、ラッチアーム２２が弾発的に復帰してフェライト４０をコンタクト収容穴１０内に係止する。
【００２４】
防水用の弾性ゴム部材５０は、リング状のシール部材であり、前述のハウジング２の縮径部３０に密嵌する内径の開口５２と、フランジ１２に密嵌する、フランジ１２の外径と相補形の内側形状の側壁部５４を有する。側壁部５４のうち、ハウジング２の舌片１４ａに対応する位置には矩形の切欠５４ａが形成され、反対側即ち電線８６に対応する位置には、幅広の切欠５４ｂが形成されている。この弾性ゴム部材５０がハウジング２の下から被冠されると、係止舌片３４を押し撓めた後、開口５２が縮径部３０に位置し、側壁部５４がフランジ１２の外側でフランジ１２に密着する。そして、弾性ゴム部材５０は、弾発的に復帰した係止舌片３４と嵌合部３２の段部３２ａにより下方に抜け出ることが阻止される。
【００２５】
コネクタ１の組立においては、コンタクト８０は予めカバー部材４に取り付けられる。この取付状態について図３を参照して説明する。図３は、カバー部材４にコンタクト８０が取り付けられた状態を示す斜視図である。カバー部材４の下面即ちハウジング２側には、弾性ゴム部材５０の外形形状と相補形の凹部６０が形成されている。この凹部６０の内側の寸法は、弾性ゴム部材５０が凹部６０内に配置されると、弾性ゴム部材５０の外側と密嵌するように寸法決めされている。カバー部材４の凹部６０の底面４ａには、コンタクト８０を位置決めして配置するための半円形の受座６２が、電線８６の延出方向と直交する方向に沿って２箇所に形成されている。
【００２６】
ここで、受座６２に配置されるコンタクト８０について、図２および図３を参照して説明する。コンタクト８０は、相手方のピンコンタクト３０２(図４)と接触する接触部８２と、この接触部８２に対し直角に形成された電線接続部８４を有し、Ｌ字状に構成されている。電線接続部８４は、電線８６の外被に圧着される絶縁体バレル８４ａと、電線８６の導体に圧着される導体バレル８４ｂを有する。また、接触部８２は、相手方のピンコンタクト３０２を受容するとともに、ピンコンタクト３０２と接触するばね片８３(図４)を保護する円筒状のフェルール８２ａを有する。また、接触部８２を挟んで電線接続部８４の反対側には、位置決めバレル８８が電線接続部８４と同じ直線上に延出している。
【００２７】
再び図３に戻って、カバー部材４について説明する。カバー部材４の底面４ａには、受座６２と対向するように１対のラッチ突起９０が受座６２の間に形成されて、各受座６２との間にコンタクト係止部９２が形成される。電線８６に接続されたコンタクト８０は、電線８６が凹部６０の内側からカバー部材４の弾性ゴム部材９の電線挿通孔９４に先に挿通されて電線８６がシールされ、次にコンタクト８０が受座６２に配置されて、コンタクト係止部９２に係止される。このとき接触部８２のフェルール８２ａは、底面４ａに対して直立し且つ凹部６０から突出する。凹部６０の底面４ａには、電線８６の軸線２４方向と直交する方向に１対の係止アーム９６が突設されている。この係止アーム９６の位置は、ハウジング２のフランジ１２に対応する位置であり、係止アーム９６の内向きの段部９６ａの底面４ａからの高さは、フランジ１２の厚みに対応している。また、ハウジング２の舌片１４ａに対応する位置には、係止突起９８が形成されている。
【００２８】
コネクタ１を組み立てるには、図３に示すようにコンタクト８０が取り付けられたカバー部材４を、フェライト４０と弾性ゴム部材５０を装着したハウジング２に上方から押し込むように取り付ける。これにより、カバー部材４は弾性ゴム部材５０の外周に密嵌するとともに、カバー部材４の係止突起９８が舌片１４ａに係合し、且つ係止アーム９６、受座６２がフランジ１２、ラッチアーム２２にそれぞれ係合してカバー部材４がハウジング２に固定される。
【００２９】
このコネクタ１が相手方のコネクタ３００と嵌合した状態を図４を参照して説明する。図４は、図１の４−４線に沿う拡大断面図である。カバー部材４の係止突起９８とハウジング２の舌片１４ａとが互いに係止されている状態が明瞭に示されている。また、弾性ゴム部材５０は、カバー部材４とハウジング２との間をシール（封止）している。コンタクト８０に接続された電線８６は、カバー部材４の弾性ゴム部材９によりシールされている状態が示されている。また、フェライト４０はハウジング２のコンタクト収容穴１０内に配置され、コンタクト８０の接触部８２はフェライト４０内に収容されているのが明瞭に示されている。
【００３０】
このコネクタ１と嵌合する相手方のコネクタ３００は、ハウジング２を受容する嵌合口３０４を有する。嵌合口３０４内には、各コンタクト８０の接触部８２に対応する位置にピンコンタクト３０２が各々植設されている。また、嵌合口３０４の先端の内周には内向きのテーパ面３０６が形成されている。
【００３１】
そしてコネクタ１と相手方のコネクタ３００が嵌合すると、接触部８２のばね片８３が、ピンコンタクト３０２と接触し、弾性ゴム部材５０が、テーパ面３０６に圧接されて、コネクタ同士が互いにシールされる。コネクタ１と相手方のコネクタ３００は、図示しない係合手段により互いに係止される。
【００３２】
第１の実施形態において、弾性ゴム部材５０はハウジング２と別体に構成されているが、２色成形によりハウジング２と一体に成形されても良いことはもちろんである。
【００３３】
次に、本発明の第２の実施形態について、図５から図９を参照して説明する。図５は、第２の実施形態のコネクタ１００を示し、図５（ａ）はカバー部材側から見た斜視図であり、図５（ｂ）はハウジング側から見た斜視図である。なお、説明にあたり、第１の実施形態と同じ部品については同じ参照番号を使用して説明する。このコネクタ１００は、第１の実施形態のコネクタ１と同様にハウジング１０２と、このハウジング１０２と別体の平板状のカバー部材１０４とを有する。
【００３４】
ハウジング１０２は、合成樹脂から成形され、凹所１０８が形成された嵌合面１０６を有している。凹所１０８の底面１０８ａには、相手方のコネクタ３００（図９）のピンコンタクト３０２（図９）が挿入される小孔１１１が１対形成されている。カバー部材１０４には、電線８６を挿通する為の電線挿通孔１９４が形成されている。電線８６は電線８６を個別に防水する弾性ゴム部材（第１の弾性シール部材）１０９を介して電線挿通孔１９４に挿通されている。また、ハウジング１０２とカバー部材１０４との間には、弾性ゴム部材(第２の弾性シール部材)１５０が配置されている。カバー部材１０４には、係止孔１０５ａを有する係止突起１０５が左右に１対形成されている。この係止突起１０５には、係止突片１０７ａを有する帯状の補強部材即ちクリップ１０７が取付けられている。次に、このコネクタ１００の構成について、図６を参照してさらに詳細に説明する。
【００３５】
図６は、図５のコネクタ１００の分解斜視図である。コネクタ１００は、ハウジング１０２、フェライト４０、コンタクト８０、カバー部材１０４、弾性ゴム部材１５０およびクリップ１０７を有する。ハウジング１０２は、略円柱状であり、中央部に上方即ちカバー部材１０４側に開放するコンタクト収容穴１１０を有する。また、カバー部材１０４側には、ハウジング１０２の上面１１６から僅かに下方に、ハウジング１０２の軸線１２４と直交する方向に延びるリブ１１３がハウジング１０２の両側に一体に成形されている。これらのリブ１１３の一端は、電線８６が導出する側にハウジング１０２から突出している。このリブ１１３は、段部１１３ａを経て他側に向けて延びている。他側に延びたリブ１１３には、さらに軸線１２４と平行且つハウジング１０２の直径方向に延びる支持壁１１５が連続して形成されている。支持壁１１５には、その長手方向に沿って細長い凸条１１７が一体に形成されている。
【００３６】
リブ１１３の下面から支持壁１１５の外面に亘って、弾性ゴム部材１５０が２色成形によりハウジング１０２と一体に成形されている。この弾性ゴム部材１５０は、ハウジング１０２の外周を囲むように成形されている環状部分１５０ａと平板部分１５０ｂとから構成されている。平板部分１５０ｂは、凸条１１７の周囲を囲むように支持壁１１５に密接して形成されている。
【００３７】
ハウジング１０２の上面１１６には、第１の実施形態と同様な１対の切欠１１８、１２０が形成されている。切欠１１８は２つの切欠１１８ａ、１１８ｂから構成され、切欠１２０も２つの切欠１２０ａ、１２０ｂから構成されている。切欠１１８と切欠１２０は互いに平行に整列しており、これらの切欠１１８、１２０には前述のコンタクト８０が配置される。ハウジング１０２の嵌合部１３２の側面には、上方即ちカバー部材１０４側に拡開するように傾斜して延びる係止舌片１３４が形成されている。
【００３８】
前述のコンタクト収容穴１１０には、フェライト４０およびコンタクト８０が配置される。これらフェライト４０およびコンタクト８０は、第１の実施形態と同様であるので、詳細な説明は省略する。但し、第２の実施形態においては、前述の如く電線８６の外被に環状の弾性ゴム部材１０９が被嵌されている点が相異する。この弾性ゴム部材１０９はカバー部材１０４との間を防水するためのものである。
【００３９】
次に、図７を併せて参照して、カバー部材１０４について説明する。図７はカバー部材１０４を下方から見た斜視図である。カバー部材１０４は略矩形状であり、端面１０４ａおよび下面１０４ｂに開放する開口１１９を有する。開口１１９は、端面１０４ａ側においては支持壁１１５および弾性ゴム部材１５０の外形と相補的な形状になっている。また下面１０４ｂ側はハウジング１０２の外周に沿って円弧状に形成されている。端面１０４ａと反対側の面には、前述の１対の電線挿通孔１９４が見える。カバー部材１０４の側壁１０４ｃの内側には、側壁１０４ｃに沿うレール１２１が形成されている。カバー部材１０４をハウジング１０２に対して横方向即ち矢印１２３の方に向けて移動させると、前述のリブ１１３はこのレール１２１によって案内されて、カバー部材１０４はハウジング１０２に取付けられる。前述のクリップ１０７は、板状本体１０７ｂに、凸条１１７と相補的な形状の開口１０７ｃが形成されている。
【００４０】
カバー部材１０４をハウジング１０２に取付ける前に、図８に示すようにコンタクト８０がハウジング１０２にまず装着される。図８はコンタクト８０がハウジング１０２に装着された状態を示す斜視図である。電線８６に接続された１対のコンタクト８０は、接触部８２がフェライト４０内に収容されると共に、位置決めバレル８８と導体バレル８４ｂが、切欠１１８と１２０に予め配置される。
【００４１】
このコンタクト８０を収容したハウジング１０２に、前述の如くカバー部材１０４が側方からハウジング１０２の上部に挿入されてハウジング１０２に組みつけられる。このとき電線８６は、弾性ゴム部材１０９を介して電線挿通孔１９４との間でシールされる。前述のクリップ１０７は、ハウジング１０２に取り付けられたカバー部材１０４の端面１０４ａに取り付けられる。このときクリップ１０７の板状本体１０７ｂにより弾性ゴム部材１５０が支持壁１１５に押圧されるとともに、クリップ１０７の係止突片１０７ａが、カバー部材１０４の係止孔１０５ａ内に挿入されて係止突起１０５に係止される。これにより、カバー部材１０４の端面１０４ａが拡開することが防止され、カバー部材１０４が確実にハウジング１０２に固定される。
【００４２】
このように構成されたコネクタ１００が相手方のコネクタ３００と嵌合した状態を図９に示す。図９は、図５の９−９線に沿う拡大断面図である。カバー部材１０４とハウジング１０２は、弾性ゴム部材１５０により防水されている状態が示されている。また、コンタクト８０に接続された電線８６は、弾性ゴム部材１０９によりシールされている状態が示されている。
【００４３】
そしてコネクタ１００と相手方のコネクタ３００が嵌合すると、図示しない係合手段により互いに係止されるとともに、弾性ゴム部材１５０が、テーパ面３０６に圧接されて、コネクタ同士が互いにシールされる。
【００４４】
第２の実施形態において、弾性ゴム部材１０９は、カバー部材１０４とは別体として構成されているが、２色成形によりカバー部材１０４と一体に成形されても良いことはもちろんである。
【００４５】
次に、本発明の第３の実施形態について、図１０から図１６を参照して説明する。図１０は、第３の実施形態のコネクタ２００（図１５）に使用される防水栓（第１の弾性シール部材）２６４を、電線８６および電線８６に接続されたコンタクト８０とともに示す。なお、前述の第１および第２の実施形態で説明した部品と同じ部品については同じ参照番号を引用して説明する。防水栓２６４は、横長の略ブロック状を呈し、２本の電線８６を受容する２つの電線受容孔２６４ａを有する（図１５、図１６）。各電線受容孔２６４ａ内には、挿入された電線８６の外周に密着する１乃至２つの環状リブ２６５（図１５）が形成されている。この環状リブ２６５は、電線８６を電線受容孔２６４ａに挿通すると変形して電線８６に密着する。図１５に示す環状リブ２６５は、電線８６を挿通する前の形状および位置を示すものである。
【００４６】
また、防水栓２６４には、外形の断面が円弧状の２つの環状凸部２６４ｂが形成されている。これらの環状凸部２６４ｂは、電線８６の長手方向に沿って互いに近接し、且つ防水栓２６４の全周に亘って形成されている。この環状凸部２６４ｂは、コンタクト８０から遠い側に形成されている。環状凸部２６４ｂが形成されていない部分即ち縮径部２６４ｃは、外形形状が環状凸部２６４ｂより僅かに小さくなっている。この防水栓２６４は、例えばシリコーンゴムから形成される。縮径部２６４ｃの両側には、防水栓２６４の長手方向に突出する耳２６６が一体に形成されている。この耳２６６は上下方向に長く、左右方向に小さいタブ状である。電線８６およびコンタクト８０については、第１および第２の実施形態と同じであるので説明を省略する。
【００４７】
次に、図１１を参照して、この防水栓２６４を第３の実施形態のコネクタ２００用のカバー部材２０４に取り付ける態様について説明する。図１１は、防水栓２６４をカバー部材２０４に取り付ける態様を示す斜視図である。カバー部材２０４には、防水栓２６４を取り付けるための、開口２９４が形成されている。開口２９４の内面は平滑である。開口２９４は、カバー部材２０４のさらに大きな開口２９５にオーバーモールドにより形成された部材２９７に形成されている。部材２９７の開口２９５は、カバー部材２０４内の受座２６２の形状を形成するためのものであり、受座２６２の形状によっては、必ずしも必要ではない。部材２９７の材質は、電気絶縁性を有するものであれば、材質に特別な制約はなく、例えば、ＰＢＴ（ポリブチレンテレフタレート）を使用することができる。なお、部材２９７はカバー部材２０４の一部を構成する。開口２９４に防水栓２６４を装着するには、最初に電線８６を開口２９４に挿入し、コンタクト８０の電線接続部８４をコンタクト係止部２９２の溝２９２ａに押し込むように配置する。このとき電線８６と、コンタクト８０の電線接続部８４は略一直線になる。
【００４８】
次に、電線８６を矢印２６８の方に引っ張ると、防水栓２６４とコンタクト８０は矢印２６８の方に移動し、防水栓２６４は開口２９４に嵌入する。この状態を図１２および図１３に示す。図１２は、防水栓２６４がカバー部材２０４に装着された状態を示し、図１２（ａ）は、カバー部材２０４を下側且つ電線８６側から見た斜視図、図１２（ｂ）は下側且つ防水栓２６４の反対側から見た斜視図をそれぞれ示す。図１３は、防水栓２６４が装着されたカバー部材２０４の底面図である。防水栓２６４が開口２９４に着座するとともに、コンタクト８０も溝２９２ａを通って受座２６２に着座する。このとき図１２（ｂ）および図１３から判るように、防水栓２６４の耳２６６は、カバー部材２０４の内面に当接し、それ以上電線８６を引っ張っても防水栓２６４は移動しないようになっている。即ち耳２６６はストッパとしての役割を果たす。また、コンタクト８０の位置決めバレル８８も受座２６２の端面２６２ａ、２６２ｂに当接する。これによりコンタクト８０が受座２６２の所定の位置に確実に配置される。
【００４９】
次に、図１４を参照して、このように構成されたカバー部材２０４が取り付けられるハウジング２０２の部分について説明する。図１４は、フェライト２４０、ハウジング２０２および弾性部材２５０（第２の弾性シール部材）を互いに分離して示す分解斜視図である。なお、ハウジング２０２、フェライト２４０、ゴム或いはエラストマからなる弾性部材２５０は、前述の実施形態１と類似しているので、主な相違点のみを説明する。ハウジング２０２のフランジ２１２は、第１の実施形態のフランジ１２より薄く形成されており、防水栓２６４の耳２６６に対応する部分に切欠２７０を有する。この切欠２７０は、カバー部材２０４がハウジング２０２に装着されると、耳２６６を受容するように位置し、耳２６６が電線８６の長手方向に沿って矢印２６８と逆方向に移動することを阻止する。これによって、防水栓２６４がカバー部材２０４の開口２９４内に安定的に装着される。また、フェライト２４０は、コンタクト８０のフェルール８２ａを各々受容するよう、くびれ部２４０ａを介して連通する２つの貫通孔２４０ｂを有する。また、弾性部材２５０は、電線８６に対応する位置に切欠２５０ａを有し、係止アーム２９６に対応する位置に他の１対の切欠２５０ｂを有する。２つの貫通孔２４０ｂは、本実施形態では連通しているが、連通していない他の形態であってもよい。
【００５０】
このように構成されたコネクタ２００の、電線８６の中心を通る面に沿う断面を図１５に示す。図１５において耳２６６がカバー部材２０４の内面に当接している状態が明瞭に示されている。なお、環状凸部２６４ｂは、開口２９４に防水栓２６４が挿入されると潰れるが、図１５では、潰れる前の状態を示している。
【００５１】
このコネクタ２００が相手方のコネクタ３００と嵌合した状態を図１６に示す。図１６は、コネクタ２００の拡大縦断面図である。カバー部材２０４とハウジング２０２は、弾性部材２５０により防水されている状態が示されている。また、コンタクト８０に接続された電線８６は、防水栓２６４によりシールされ、さらに防水栓２６４がカバー部材２０４との間をシールしている状態が示されている。防水栓２６４の環状凸部２６４ｂは開口２９４内で圧縮状態でカバー部材２０４に密接する。なお、図１６において、防水栓２６４とカバー部材２０４との密嵌状態については、誇張して示してある。そしてコネクタ２００と相手方のコネクタ３００が嵌合すると、図示しない係合手段により互いに係止されるとともに、弾性部材２５０が、テーパ面３０６に圧接されて、コネクタ同士が互いにシールされるのは前述の第１および第２の実施形態と同じである。
【図面の簡単な説明】
【００５２】
【図１】本発明の第１の実施形態の電気コネクタを示し、（ａ）はカバー部材側から見た斜視図であり、（ｂ）はハウジング側から見た斜視図である。
【図２】図１の電気コネクタの分解斜視図である。
【図３】カバー部材にコンタクトが取り付けられた状態を示す斜視図である。
【図４】図１の４−４線に沿う拡大断面図である。
【図５】本発明の第２の実施形態の電気コネクタを示し、（ａ）はカバー部材側から見た斜視図であり、（ｂ）はハウジング側から見た斜視図である。
【図６】図５の電気コネクタの分解斜視図である。
【図７】第２の実施形態の電気コネクタに用いられるカバー部材を下方から見た斜視図である。
【図８】第２の実施形態の電気コネクタのコンタクトが絶縁ハウジングに装着された状態を示す斜視図である。
【図９】図５の９−９線に沿う拡大断面図である。
【図１０】本発明の第３の実施形態の電気コネクタに使用される防水栓を電線およびコンタクトとともに示す斜視図である。
【図１１】図１０の防水栓を第３の実施形態の電気コネクタに使用されるカバー部材に取り付ける態様を示す斜視図である。
【図１２】図１０の防水栓がカバー部材に装着された状態を示し、（ａ）は、カバー部材を下側且つ電線側から見た斜視図、（ｂ）はカバー部材を下側且つ防水栓側から見た斜視図をそれぞれ示す。
【図１３】防水栓が装着されたカバー部材の底面図である。
【図１４】フェライト、ハウジングおよび弾性ゴム部材を互いに分離して示す分解斜視図である。
【図１５】図１０の電気コネクタの、電線の中心を通る面に沿う断面図である。
【図１６】第３の実施形態の電気コネクタと相手方コネクタとが嵌合した状態を示す拡大縦断面図である。
【符号の説明】
【００５３】
１、１００    電気コネクタ
２、１０２    絶縁ハウジング
４、１０４    カバー部材
９、１０９    第１の弾性シール部材（弾性ゴム部材）
５０、１５０    第２の弾性シール部材（弾性ゴム部材）
８０    コンタクト
８２    接触部
８６    電線
３００    相手方のコネクタ
【図１】
2006196427.tif 000003
【図２】
2006196427.tif 000004
【図３】
2006196427.tif 000005
【図４】
2006196427.tif 000006
【図５】
2006196427.tif 000007
【図６】
2006196427.tif 000008
【図７】
2006196427.tif 000009
【図８】
2006196427.tif 000010
【図９】
2006196427.tif 000011
【図１０】
2006196427.tif 000012
【図１１】
2006196427.tif 000013
【図１２】
2006196427.tif 000014
【図１３】
2006196427.tif 000015
【図１４】
2006196427.tif 000016
【図１５】
2006196427.tif 000017
【図１６】
2006196427.tif 000018